(57)【要約】      （修正有）【課題】ＴＶ等を視聴している時に、所定のデータを取得するために第２の通信部を使用しても、ＴＶ等の受信感度の劣化を回避することが可能な携帯端末装置及び増幅回路を提供する。【解決手段】ＣＰＵ２０２は、バイパスモード（ＤＣ−ＤＣコンバータ２５６による電圧の降圧動作を実行しないモード）を実行し、スイッチング素子２５７をＯＮ状態に動作させる。スイッチング素子２５７がＯＮ状態に切り替えられると、バッテリから供給される電源電圧は、ＤＣ−ＤＣコンバータ２５６をバイパスし、直接パワーアンプ２５４に供給される。【選択図】図５
2008211647.tif 000002
【特許請求の範囲】
【請求項１】
データ通信を行なう通信系と、放送波を受信する放送受信系とを有する携帯端末装置であって、
前記通信系は、アンテナと、送信信号を増幅して前記アンテナへ供給する増幅部と、当該増幅部の増幅量を制御する制御電圧を生成する電圧変換部とを含み、
前記増幅部は、前記放送受信系で放送波を受信中に前記通信系によるデータ送信が生じたときには前記電圧変換部をバイパスした電源電圧駆動が行なわれ、前記放送受信系が使用されていない状態で前記通信系によるデータ送信が生じたときには前記電圧変換部を使用した制御電圧駆動を可能とすることを特徴とする携帯端末装置。
【請求項２】
請求項１記載の携帯端末装置において、
前記増幅部は、段階的な増幅が可能であって、前記放送受信系が使用されていない状態でデータ送信を行うとき、増幅量が最大の場合には前記電圧変換部をバイパスして電源電圧駆動し、増幅量が少なくとも最小の場合には前記電圧変換部による制御電圧駆動をするように切り替えられることを特徴とする携帯端末装置。
【請求項３】
請求項１又は２記載の携帯端末装置において、
前記通信系により受信されるパワーコントロール信号に基づいて、前記増幅部の増幅量を特定する制御部を有し、
前記制御部は、特定した増幅量に基づいて、電源電圧駆動と、制御電圧駆動とを切り替えることを特徴とする携帯端末装置。
【請求項４】
データ通信を行なう通信系と、放送波を受信する放送受信系とを有する携帯端末装置であって、
前記通信系は、アンテナと、前記アンテナから供給される受信信号を増幅する増幅部と、当該増幅部の増幅量を制御する制御電圧を生成する電圧変換部とを含み、
前記増幅部は、前記放送受信系で放送波を受信中に前記通信系によるデータ受信が生じたときには前記電圧変換部をバイパスした電源電圧駆動が行なわれ、前記放送受信系が使用されていない状態で前記通信系によるデータ受信が生じたときには前記電圧変換部を使用した制御電圧駆動を可能とすることを特徴とする携帯端末装置。
【請求項５】
請求項４記載の携帯端末装置において、
前記増幅部は、段階的な増幅が可能であって、前記放送受信系が使用されていない状態でデータ受信を行うとき、増幅量が最大の場合には前記電圧変換部をバイパスして電源電圧駆動し、増幅量が少なくとも最小の場合には前記電圧変換部による制御電圧駆動するよう切り替えられることを特徴とする携帯端末装置。
【請求項６】
請求項４又は５記載の携帯端末装置において、
前記通信系により受信される信号強度に基づいて、前記増幅部の増幅量を特定する制御部を有し、
前記制御部は、特定した増幅量に基づいて、電源電圧駆動と、制御電圧駆動とを切り替えることを特徽とする携帯端末装置。
【請求項７】
データ通信を行なう通信系と、放送波を受信する放送受信系とを有する携帯端末装置にて用いられる増幅回路であって、
送信信号を増幅してアンテナへ供給する増幅部と、前記増幅部の増幅量を制御する制御電圧を生成する電圧変換部とを備え、
前記増幅部は、前記放送受信系で放送波を受信中に前記通信系によるデータ送信が生じたときには前記電圧変換部をバイパスした電源電圧駆動が行なわれ、前記放送受信系が使用されていない状態で前記通信系によるデータ送信が生じたときには前記電圧変換部を使用した制御電圧駆動を可能とすることを特徴とする増幅回路。
【発明の詳細な説明】
【技術分野】
【０００１】
本発明は、携帯端末装置及び当該携帯端末装置に用いられる増幅回路に関する。
【背景技術】
【０００２】
携帯端末装置においては、例えば、ＣＤＭＡ（Ｃｏｄｅ  Ｄｉｖｉｓｉｏｎ  Ｍｕｌｔｉｐｌｅ  Ａｃｃｅｓｓ）システムのように、不要輻射と消費電力の低減を目的として、自律的に受信電界強度に基づいて、又は、基地局からの指示に基づいて、アンテナからの送信出力電力を制御する機能（パワーコントロール）が採用されている（例えば、特許文献１及び２を参照）。また、パワーコントロールを行うに際して、さらに電力効率を向上するために、送信出力の電力を小さくするとき（例えば、携帯端末装置が基地局周辺にあり、小さな送信出力で送信が行える場合）には、消費電力が大きいパワーアンプ（ＰＡ）の電源電圧をＤＣ−ＤＣコンバータにより降圧し、降圧後の電圧を利用している。
【特許文献１】特開平１１−２７４９４８号公報
【特許文献２】特開平１１−４１１１８号公報
【発明の開示】
【発明が解決しようとする課題】
【０００３】
ところで、近年の携帯端末装置においては、電話やメール等による通信機能部（以下、第１の通信機能部という。）のみならず、ＴＶやラジオ等を受信する通信機能部（以下、第２の通信機能部という。）を併せ持ったものが登場してきている。この第２の通信機能部は、第１の通信機能部とは異なる信号周波数帯を使用しており、また、変調方式も異なるため、専用のアンテナとチューナを備えている。
【０００４】
ここで、第２の通信機能部を利用してＴＶやラジオ等を視聴している時に、第１の通信機能部を使用する場合がある。具体的には、ＴＶやラジオ等の視聴時に、所定のデータ（例えば、ＴＶ番組表（ＥＰＧ）や音楽の情報等）を取得する際に、第１の通信機能部を利用して、当該データの要求や当該データの受信を行う場合がある。
【０００５】
このときに、第１の通信機能部において、ＤＣ−ＤＣコンバータによる送信出力動作（特に、送信出力電力が小さい送信出力動作）が実行されると、ＤＣ−ＤＣコンバータのスイッチング周波数（通常、２ＭＨｚ程度）に起因する高調波成分が、第２の通信機能部のチューナの受信帯域にかかってしまい、その結果、第２の通信機能部の感度が抑圧され、ＴＶやラジオ等の受信感度の劣化（例えば、映像的・音響的なノイズが生じる）を招いてしまうおそれがある。また、場合によっては、データの受信時においても、ＴＶやラジオ等の受信感度の劣化を招くおそれがある。
【０００６】
本発明は、上述のような課題に鑑みてなされたものであり、その目的の一つは、第２の通信機能部を使用してＴＶやラジオ等を視聴している時に、第２の通信機能部による通信が行われても、ＴＶやラジオ等の受信感度の劣化を回避することが可能な携帯端末装置及び増幅回路を提供することを目的とする。
【課題を解決するための手段】
【０００７】
本発明に係る携帯端末装置は、上記課題を解決するために、データ通信を行なう通信系と、放送波を受信する放送受信系とを有する携帯端末装置であって、前記通信系は、アンテナと、送信信号を増幅して前記アンテナへ供給する増幅部と、当該増幅部の増幅量を制御する制御電圧を生成する電圧変換部とを含み、前記増幅部は、前記放送受信系で放送波を受信中に前記通信系によるデータ送信が生じたときには前記電圧変換部をバイパスした電源電圧駆動が行なわれ、前記放送受信系が使用されていない状態で前記通信系によるデータ送信が生じたときには前記電圧変換部を使用した制御電圧駆動を可能とすることを特徴とする。
【０００８】
また、携帯端末装置では、前記増幅部は、段階的な増幅が可能であって、前記放送受信系が使用されていない状態でデータ送信を行うとき、増幅量が最大の場合には前記電圧変換部をバイパスして電源電圧駆動し、増幅量が少なくとも最小の場合には前記電圧変換部による制御電圧駆動をするように切り替えられることが好ましい。
【０００９】
また、携帯端末装置では、前記通信系により受信されるパワーコントロール信号に基づいて、前記増幅部の増幅量を特定する制御部を有し、前記制御部は、特定した増幅量に基づいて、電源電圧駆動と、制御電圧駆動とを切り替えることが好ましい。
【００１０】
また、本発明に係る携帯端末装置は、上記課題を解決するために、データ通信を行なう通信系と、放送波を受信する放送受信系とを有する携帯端末装置であって、前記通信系は、アンテナと、前記アンテナから供給される受信信号を増幅する増幅部と、当該増幅部の増幅量を制御する制御電圧を生成する電圧変換部とを含み、前記増幅部は、前記放送受信系で放送波を受信中に前記通信系によるデータ受信が生じたときには前記電圧変換部をバイパスした電源電圧駆動が行なわれ、前記放送受信系が使用されていない状態で前記通信系によるデータ受信が生じたときには前記電圧変換部を使用した制御電圧駆動を可能とすることを特徴とする。
【００１１】
また、携帯端末装置では、前記増幅部は、段階的な増幅が可能であって、前記放送受信系が使用されていない状態でデータ受信を行うとき、増幅量が最大の場合には前記電圧変換部をバイパスして電源電圧駆動し、増幅量が少なくとも最小の場合には前記電圧変換部による制御電圧駆動するよう切り替えられることが好ましい。
【００１２】
また、携帯端末装置では、前記通信系により受信される信号強度に基づいて、前記増幅部の増幅量を特定する制御部を有し、前記制御部は、特定した増幅量に基づいて、電源電圧駆動と、制御電圧駆動とを切り替えることが好ましい。
【００１３】
また、本発明に係る増幅回路は、上記課題を解決するために、データ通信を行なう通信系と、放送波を受信する放送受信系とを有する携帯端末装置にて用いられる増幅回路であって、送信信号を増幅してアンテナへ供給する増幅部と、前記増幅部の増幅量を制御する制御電圧を生成する電圧変換部とを備え、前記増幅部は、前記放送受信系で放送波を受信中に前記通信系によるデータ送信が生じたときには前記電圧変換部をバイパスした電源電圧駆動が行なわれ、前記放送受信系が使用されていない状態で前記通信系によるデータ送信が生じたときには前記電圧変換部を使用した制御電圧駆動を可能とすることを特徴とする。
【発明の効果】
【００１４】
本発明によれば、ＴＶやラジオ等を視聴している時に、通話用の通信機能部を使用しても、ＴＶやラジオ等の受信感度を劣化させることがない。
【発明を実施するための最良の形態】
【００１５】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１６】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１７】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１８】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１９】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２０】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２１】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２２】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２３】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２４】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２６】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２７】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００２８】
つぎに、図４の機能ブロック図を参照して、携帯電話機１の各機能について説明する。携帯電話機１は、図４に示すように、外部の端末と通信を行う第１の通信部１００と、放送波を受信する放送波受信部１５０と、外部の端末と通信を行う第２の通信部２００と、所定の処理を行う処理部２０１と、を備えている。また、バッテリ９０は、第１の通信部１００と、放送波受信部１５０と、第２の通信部２００と、処理部２０１と、に対して電源を供給している。また、ＣＰＵ２０２は、第１の通信部１００と、放送波受信部１５０と、第２の通信部２００と、処理部２０１と、に対して所定の制御を行う。
【００２９】
第１の通信部１００は、ＲＦＩＤ（Ｒａｄｉｏ  Ｆｒｅｑｕｅｎｃｙ  Ｉｄｅｎｔｉｆｉｃａｔｉｏｎ）部１０１を含んで構成されており、所定の共振周波数（例えば、１３．５６ＭＨｚ）により外部装置と通信を行う磁界アンテナ部８１と、調整用のコンデンサ１０２と、を備える。
【００３０】
磁界アンテナ部８１は、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルを備えて構成されており、外部装置（リーダ・ライタ装置）から送信される信号（所定の共振周波数で変調されている）を受信する。
【００３１】
また、共振周波数Ｆｃは、（１）式にしたがって、コンデンサ１０２のキャパシタンス（Ｃ）値と、磁界アンテナ部８１のインダクタンス（Ｌ）値と、により決定される。
Ｆｃ＝１／（２π√（Ｌ×Ｃ））・・・（１）
なお、第１の通信部１００では、コンデンサ１０２の容量を変化させることにより、所定の共振周波数に調整（チューニング）している。
【００３２】
また、磁界アンテナ部８１は、外部に設置されているリーダ・ライタ装置に対して、所定距離まで接近したときに、当該リーダ・ライタ装置から送信される信号を受信する。
【００３３】
つぎに、放送波受信部１５０の構成と動作について説明する。放送波受信部１５０は、放送波受信用のアンテナ１５１と、アンテナ１５１により所定の信号を受信するように調整するチューナ部１５２と、受信された信号を映像信号と音声信号とに分離する信号分離部１５３と、を備える。また、例えば、アンテナ１５１は、ヘッドホン／マイク端子１７に接続されるヘッドホン・ケーブル等により構成される。
【００３４】
また、信号分離部１５３は、分離した映像信号を画像処理部２０６に供給し、また、分離した音声信号を音処理部２０５に供給する。画像処理部２０６は、信号分離部１５３から供給された映像信号に所定の処理を行い、処理後の信号をディスプレイ３０に出力する。また、音処理部２０５は、信号分離部１５３から供給された音声信号に所定の処理を行い、処理後の信号をスピーカ２０７から出力する。なお、図４においては、スピーカ２０７を一つで表しているが、複数のスピーカにより構成されていても良い。
【００３５】
また、放送波受信部１５０は、上述では、ＴＶ放送による放送波を受信するものとして説明したがこれに限られず、ラジオ放送による放送波を受信する受信部であっても良いし、ＴＶ放送及びラジオ放送の双方を受信する受信部であっても良い。
【００３６】
つぎに、第２の通信部２００の構成と動作について説明する。第２の通信部２００は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１×等）に基づいて、基地局を介して他の通信端末装置との間で電話による通信やメールによる通信等を行うアンテナ部８０（メインアンテナ）と、詳細は後述する送信回路２５０と受信回路２５１とにより構成される通信処理部２０３と、を備える。
【００３７】
アンテナ部８０は、例えば、所定の使用周波数帯（例えば、８００ＭＨｚ）で基地局と通信を行う。なお、使用周波数帯は、８００ＭＨｚ以外の周波数帯であっても良い。また、アンテナ部８０は、複数の使用周波数帯に対応できるように構成されていても良い。
【００３８】
通信処理部２０３は、アンテナ部８０によって受信した信号を受信回路２５１により復調処理し、処理後の信号を処理部２０１に供給し、また、処理部２０１から供給された信号を送信回路２５０により変調処理し、アンテナ部８０を介して基地局に送信する。
【００３９】
また、処理部２０１は、操作キー群１１と、マイク１２と、ディスプレイ３０と、音声出力部３１と、所定のデータが格納されているメモリ２０４と、所定の音処理を行う音処理部２０５と、所定の画像処理を行う画像処理部２０６と、被写体を撮像するカメラ部２３と、着信音等が出力されるスピーカ２０７等を備えている。
【００４０】
ここで、第２の通信部２００の詳細な構成について説明する。第２の通信部２００は、図５に示すように、送信回路２５０と受信回路２５１とが分波器２５２に接続され、分波器２５２がアンテナ部８０に接続されている。また、送信回路２５０は、所定の周波数成分を通過させるフィルタ（バンドパスフィルタ）２５３と、フィルタ２５３を通過してきた信号を所定量増幅するパワーアンプ２５４と、電源供給部２５５とにより構成されている。また、電源供給部２５５は、電源から供給された電圧を所定の電圧まで降圧するＤＣ−ＤＣコンバータ２５６と、当該ＤＣ−ＤＣコンバータ２５６をバイパスして電源から供給される電圧を直接パワーアンプ２５４に供給するためのスイッチング素子（例えば、ＦＥＴ（Ｆｉｅｌｄ  Ｅｆｆｅｃｔ  Ｔｒａｎｓｉｓｔｏｒ）等）２５７と、により構成される。なお、電源供給部２５５は、別々の部品で構成される場合と、ＩＣにより一体化されている場合がある。
【００４１】
また、ＣＰＵ２０２は、一般的に、送信回路２５０により信号を送信する際に、基地局から送信されるパワーコントール信号（受信電力）に応じて、電源供給部２５５の動作（増幅率）を制御する。ここで、ＣＰＵ２０２の動作について説明する。
【００４２】
ＣＰＵ２０２は、基地局から出力されるパワーコントロール信号に基づき、現在の送信電力が小さいと判断した場合、又は自局における基地局からの受信電力が小さいと判断した場合には、送信電力を大きく制御するために、スイッチング素子２５７をＯＮ状態に制御し、ＤＣ−ＤＣコンバータ２５６をバイパスして電源から供給される電圧を直接パワーアンプ２５４に供給する。なお、このときパワーアンプ２５４に供給される電圧は、例えば、バッテリ９０の定格電圧（例えば、４．３〜３．３Ｖ）である。また、ＣＰＵ２０２は、同様に、パワーコントロール信号、あるいは基地局からの受信電力に基づき、送信電力を中程度にすると判断した場合には、ＤＣ−ＤＣコンバータ２５６により所定量電圧を降圧させ、降圧後の電圧をパワーアンプ２５４に供給する。なお、このときパワーアンプ２５４に供給される電圧は、例えば、１．８Ｖの一定電圧である。また、ＣＰＵ２０２は、パワーコントロール信号、あるいは基地局からの受信電力に基づき、送信電力を大きくすると判断した場合には、送信電力を小さく制御するために、ＤＣ−ＤＣコンバータ２５６により所定量電圧を降圧させ、降圧後の電圧をパワーアンプ２５４に供給する。なお、このときパワーアンプ２５４に供給される電圧は、受信電力中程度のときよりもさらに低い一定電圧（例えば、１．３Ｖ）である。
【００４３】
また、受信回路２５１は、アンテナ部８０により受信した信号に対して、ノイズを低減しつつ増幅するＬＮＡ（Ｌｏｗ  Ｎｏｉｓｅ  Ａｍｐｌｉｆｉｅｒ）２５８と、ＬＮＡ２５８の出力信号から所定の周波数成分の信号のみ通過させるフィルタ（バンドパスフィルタ）２５９とを備えている。
【００４４】
また、ＣＰＵ２０２は、ＴＶ等の受信時において、ＴＶ番組表（ＥＰＧ）等のデータの取得を送信回路２５０により要求する場合及び当該データを受信する場合、ＴＶ等の受信感度の劣化（例えば、映像的又は音響的なノイズの発生）を回避するために、電源供給部２５５の動作を制御する。ここで、ＣＰＵ２０２の動作について図６に示すフローチャートを参照して説明する。なお、以下では、ＴＶ等の受信時において、ＥＰＧ等のデータの取得を送信回路２５０により要求する場合について説明する。
【００４５】
ステップＳＴ１において、ＣＰＵ２０２は、放送波受信部１５０が起動されてＴＶ等が使用されている状態かどうかを判断する。ＴＶ等が起動されている場合には、ステップＳＴ２の工程に進み、ＴＶ等が起動されていない場合には、ステップＳＴ１の工程を繰り返す。
【００４６】
ステップＳＴ２において、ＣＰＵ２０２は、ＴＶ等の受信時において、ＥＰＧ等のデータの取得を送信回路２５０により要求する場合、送信回路２５０による送信出力電力が所定の電力値かどうか、すなわち、パワーコントロール信号に基づいて、送信電力として小電力か中電力が要求されている、あるいは現在の自局における受信電力が所定電力（中電力又は大電力）であるかどうかを判断する。送信電力が所定電力の場合（ＤＣ−ＤＣコンバータ２５６による電圧の降圧動作が実行される）には、ステップＳＴ３に進む。
【００４７】
ステップＳＴ３において、ＣＰＵ２０２は、バイパスモード（ＤＣ−ＤＣコンバータ２５６による電圧の降圧動作を実行しないモード）を実行し、スイッチング素子２５７をＯＮ状態に動作させる。スイッチング素子２５７がＯＮ状態に切り替えられると、バッテリ９０から供給される電源電圧は、ＤＣ−ＤＣコンバータ２５６をバイパスし、直接パワーアンプ２５４に供給される。なお、このときパワーアンプ２５４に供給される電圧は、バッテリ９０の定格電圧（例えば、４．３〜３．３Ｖ）である。
【００４８】
また、上述したＣＰＵ２０２による制御を実現するための方法は、種々のものがあり、例えば、放送波受信部１５０の駆動時にフラグを立てておく方法や、送信回路２５０によるデータ送信時に放送波受信部１５０を使用しているかどうかを確認する方法等がある。
【００４９】
ここで、放送波受信部１５０の駆動時にフラグを立てておく方法について、アプリケーション的な観点から図７を用いて説明する。なお、ベースアプリケーションは、既に起動されているものとする。なお、ステップＳＴ２において、所定の送信電力のときにのみステップＳＴ３へ進めるとの例を示したが、ステップＳＴ１において、ＴＶ等を使用中には、全てステップＳＴ３へ進めるようにしても良い。
【００５０】
ベースアプリケーションは、操作キー群１１から供給された操作信号（ＴＶの視聴を要求する旨のコマンド）に基づいて、起動を促す信号Ｓ１をＴＶアプリケーションに送信する。
【００５１】
ＴＶアプリケーションは、信号Ｓ１に応じて起動し、起動した旨の信号Ｓ２をベースアプリケーションに返信する。
【００５２】
ベースアプリケーションは、信号Ｓ２に応じて、メモリ２０４に所定のフラグ（ＴＶアプリケーションが起動している旨のフラグ）を立てる。
【００５３】
また、ＴＶアプリケーションは、放送波受信部１５０に対してＴＶ放送の受信を開始する旨の信号Ｓ３を送信する。
【００５４】
また、ＴＶアプリケーションは、メモリ２０４を参照して所定のフラグが立っているかどうかを確認し、その後、現在、視聴中のコンテンツに付随するデータ（ＥＰＧ等）の受信の要求する信号Ｓ４をベースアプリケーションに送信する。本実施例では、メモリ２０４に所定のフラグが立っているので、上述したステップＳＴ３の工程が実行される。したがって、上述したバイパスモードが実行され、バッテリ９０から直接パワーアンプ２５４に電源電圧が供給される。
【００５５】
ベースアプリケーションは、信号Ｓ４に応じて、通信処理部２０３に対して、コンテンツに付随するデータの取得要求の信号Ｓ５を供給する。
【００５６】
通信処理部２０３は、信号Ｓ５に応じて、基地局に対して所定の要求信号Ｓ６を出力する。
【００５７】
通信処理部２０３は、コンテンツに付随するデータを取得した場合、取得した旨のＡＣＫ信号Ｓ７を基地局に送信する。
【００５８】
通信処理部２０３は、ベースアプリケーションに対して、コンテンツに付随するデータを取得した旨の報告の信号Ｓ８を供給する。
【００５９】
ベースアプリケーションは、信号Ｓ８に応じて、コンテンツに付随するデータを取得した旨の信号Ｓ９をＴＶアプリケーションに供給する。
【００６０】
また、ベースアプリケーションは、操作キー群１１から供給された操作信号（ＴＶの視聴の終了を要求する旨のコマンド）に基づいて、終了を促す信号Ｓ１０をＴＶアプリケーションに送信する。
【００６１】
ＴＶアプリケーションは、信号Ｓ１０に応じて、放送波受信部１５０に対してＴＶ放送の受信を終了する旨の信号Ｓ１１を送信する。また、ＴＶアプリケーションは、信号Ｓ１１を放送波受信部１５０に供給した後、終了する。
【００６２】
また、本発明に係る携帯電話機１は、消費電流を極力増大させること無く、放送波受信部１５０による放送波の受信時に、第２の通信部２００によるデータの送信要求や受信が生じても、ノイズの発生を回避しつつパワーアンプ２５４やＬＮＡ２５８のコントロールを行なうことができる。
【００６３】
ここで、第２の通信部２００にて受信を行う場合について説明する。第２の通信部２００の受信回路２５１は、分波器２５２を通過してきた受信信号を所定量増幅するローノイズアンプ（ＬＮＡ）２５８と、所定の周波数成分を通過させるフィルタ（バンドパスフィルタ）２５９と、電源供給部２５５とにより構成されている。なお、図５においては、電源供給部２５５からＬＮＡ２５８への供給ラインを省略している。
【００６４】
また、ＣＰＵ２０２は、一般的に、受信回路２５１により信号を受信する際に、基地局からの受信電力に応じて、電源供給部２５５の動作（ＬＮＡ２５８の増幅率）を制御する。ここで、ＣＰＵ２０２の動作について説明する。
【００６５】
ＣＰＵ２０２は、基地局からの受信電力が小さいと判断した場合には、受信電力を大きく制御するために、スイッチング素子２５７をＯＮ状態に制御し、ＤＣ−ＤＣコンバータ２５６をバイパスして電源から供給される電圧を直接ＬＮＡ２５８に供給する。なお、このときＬＮＡ２５８に供給される電圧は、例えば、バッテリ９０の定格電圧（例えば、４．３〜３．３Ｖ）である。また、ＣＰＵ２０２は、基地局からの受信電力が中程度であると判断した場合には、ＤＣ−ＤＣコンバータ２５６により所定量電圧を降圧させ、降圧後の電圧をＬＮＡ２５８に供給する。なお、このときＬＮＡ２５８に供給される電圧は、例えば、１．８Ｖの一定電圧である。また、ＣＰＵ２０２は、基地局からの受信電力が大きいと判断した場合には、増幅率を小さく制御するために、ＤＣ−ＤＣコンバータ２５６により所定量電圧を降圧させ、降圧後の電圧をＬＮＡ２５８に供給する。なお、このときＬＮＡ２５８に供給される電圧は、受信電力中程度のときよりもさらに低い一定電圧（例えば、１．３Ｖ）である。
【００６６】
このようにして、本発明に係る携帯電話機１は、放送波受信部１５０を使用してＴＶやラジオ等を視聴している時に、所定のデータ（例えば、放送番組に関する情報（放送中の番組タイトルや、出演者名や、演奏中曲名等））の送信要求時及び当該データの受信時において、ＤＣ−ＤＣコンバータ２５６による電圧の降圧処理が行われず、常に、バッテリ９０から直接的にパワーアンプ２５４へ電源が供給されるので、ＤＣ−ＤＣコンバータ２５６のスイッチング周波数に起因する高調波成分による影響がなく、ＴＶやラジオ等の受信感度の劣化を回避でき、高品質な映像及び音声を提供することができる。
【００６７】
また、本発明に係る携帯電話機１は、消費電流を極力増大させること無く、放送波受信部１５０による放送波の受信時に、第２の通信部２００によるデータの送信要求や受信が生じても、ノイズの発生を回避しつつパワーアンプ２５４やＬＮＡ２５８のコントロールを行なうことができる。
【００６８】
なお、本実施例では、アナログのＴＶ放送の受信時を想定して説明したが、デジタルのＴＶ放送の受信時であっても本発明は有効である。本発明に係る携帯電話機１では、デジタルのＴＶ放送の受信時において、ＤＣ−ＤＣコンバータ２５６による電圧の降圧処理が行われず、常に、バッテリ９０から直接的にパワーアンプ２５４（ＬＮＡ２５８）へ電源が供給されるので、ＤＣ−ＤＣコンバータ２５６のスイッチング周波数に起因する高調波成分による影響がなく、パケット欠けを回避でき、高品質な映像を提供することができる。
【図面の簡単な説明】
【００６９】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】図４に示す携帯電話機に備えられている第２の通信部を構成するブロック図である。
【図６】ＴＶ等の受信時において、所定のデータの取得を要求する場合におけるＣＰＵの制御についての説明に供するフローチャートである。
【図７】受信モジュール部の駆動時にフラグを立てておく方法についての説明に供するタイミングチャートである。
【符号の説明】
【００７０】
１  携帯電話機
２  操作部側筐体
２ａ、３ａ  フロントケース
２ｂ、３ｂ  リアケース
３  表示部側筐体
４  連結部
１１  操作キー群
１２  マイク
２３  カメラ部
３０  ディスプレイ
３１  音声出力部
８０  アンテナ部
８１  磁界アンテナ部
１００  第１の通信部
１０１  ＲＦＩＤ部
１０２  調整用のコンデンサ
１５０  放送波受信部
１５１  アンテナ
１５２  チューナ部
１５３  信号分離部
２００  第２の通信部
２０１  処理部
２０２  ＣＰＵ
２０３  通信処理部
２０４  メモリ
２０５  音処理部
２０６  画像処理部
２０７  スピーカ
２５０  送信回路
２５１  受信回路
２５２  分波器
２５３  フィルタ
２５４  パワーアンプ
２５５  電源供給部
２５６  ＤＣ−ＤＣコンバータ
２５７  スイッチング素子
２５８  ＬＮＡ
２５９  フィルタ
【図１】
2008211647.tif 000003
【図２】
2008211647.tif 000004
【図３】
2008211647.tif 000005
【図４】
2008211647.tif 000006
【図５】
2008211647.tif 000007
【図６】
2008211647.tif 000008
【図７】
2008211647.tif 000009